(57)【要約】      （修正有）【課題】加熱活性化機構を有し、再利用可能な自己加熱容器を提供する。【解決手段】容器は、上方コンパートメント５と下方のネジ山付き蓋３を有し、上方コンパートメントには食品が配置される。下方の蓋は交換可能であり、上方コンパートメントの再利用と蓋の容易な交換を可能とする。上方のネジ山付き蓋２は、ネジ山と蓋との接合点にて安全シールにより保護される。容器は可撓性で適合可能なハンドル１３を有する。上方コンパートメントと内部容器との間の自由空間８を熱が流れる。下方の蓋は、化合物の一体化した機構１４を有し、破断可能な容器により分離された、酸化カルシウム１７または塩化カルシウム１８および水１９を収容する。ストライキング機構３０．ａが容器を破り、発熱反応を作り出す。下方の蓋は、温度を維持し、容器の内部にある食品の漏れを回避する接着テープにより、上方コンパートメントに結合される。【選択図】図１
0003230118.tif 000002
【実用新案登録請求の範囲】
【請求項１】
発熱反応に基づく製品の自己加熱容器であって、当該自己加熱容器は：
上方コンパートメント（５）を有し；前記上方コンパートメントの内部にレセプタクルを有し、該レセプタクルは、前記製品の内容物で充填されており、かつ、前記上方コンパートメントの上部と前記内部レセプタクルの上部との間に密閉カップリングを有し；熱循環のために、前記レセプタクルと前記上方コンパートメントとの間に内部自由空間（８）を有し；
互換性を持たせるようにネジ山付きカップリングによって前記上方コンパートメント（５）に接続された、下方のネジ山付き蓋（３）を有し；前記の下方のネジ山付き蓋（３）は、連続的な延長部であり、かつ、前記上方コンパートメントの下部の輪郭にフィットし；前記の下方のネジ山付き蓋（３）は、酸化カルシウムまたは塩化カルシウムである第１の化合物を収容しており、該第１の化合物は、少なくとも１つの破断可能なシートによって、および／または、破断可能な水容器（１５）によって、水である第２の化合物から分離されており；当該自己加熱容器は、前記の下方のネジ山付き蓋の外側に配置された回転活性化機構（３０）、押しボタン活性化機構（５０）またはフィッティングアクセサリーを有する活性化機構（４０）を有し、該回転活性化機構（３０）、該押しボタン活性化機構（５０）または該活性化機構（４０）は、前記の下方のネジ山付き蓋の内部に配置された少なくとも１つのストライカーによって前記の破断可能なシートまたは前記の破断可能な水容器（１５）の破裂を引き起こし、かつ、前記酸化カルシウムまたは塩化カルシウムと水とを混合し、前記発熱反応を作り出すことを可能にする、
前記自己加熱容器。
【請求項２】
前記上方コンパートメントが、ネジ山付き上方輪郭（４）を有し、かつ、前記上方コンパートメントの前記の上方のネジ山付き輪郭に完全にフィットする上方のネジ山付き蓋（２）を有する、請求項１に記載の発熱反応に基づく製品の自己加熱容器。
【請求項３】
前記上方コンパートメントが、前記容器の外側部分に、少なくとも１つの可撓性ハンドル（１３）を有し、該可撓性ハンドル（１３）は、最初は前記容器の輪郭へと折り畳み可能であり、かつ、その後で前記容器の前記輪郭に対して垂直な方向に広げられ得る、請求項１および２に記載の発熱反応に基づく製品の自己加熱容器。
【請求項４】
当該自己加熱容器が、前記上方コンパートメントの前記上記輪郭上に配置された上方シート（９）を有する、請求項１から３に記載の発熱反応に基づく製品の自己加熱容器。
【請求項５】
当該自己加熱容器が、前記容器の外側をすべて覆う延伸ポリエチレン製の断熱層を有する、請求項１から４に記載の発熱反応に基づく製品の自己加熱容器。
【請求項６】
当該自己加熱容器が、前記の上方のネジ山付き輪郭（４）と前記の上方のネジ山付き蓋（２）との間の接合部にて連結された安全シールを有する、請求項２に記載の発熱反応に基づく製品の自己加熱容器。
【請求項７】
前記回転活性化機構（３０）が、３つのストライキングアクセサリー（３０．ａ）を支持するベースを有し、それが回転するときに、前記ストライキングアクセサリーを有する前記ベースが上昇し、かつ、前記水容器（１５）を破り、デバイスを活性化させ、かつ、前記製品を加熱し始める、請求項１から６に記載の発熱反応に基づく製品の自己加熱容器。
【請求項８】
前記押しボタン活性化機構（５０）が、前記の下方のネジ山付き蓋の両方の外側面に配置された一対の接合活性化押しボタンを有し；前記押しボタンは、前記水容器と位置合わせされた前記の下方のネジ山付き蓋の内部に少なくとも１つのストライカーを有するベースに接続されており、前記押しボタンを一緒に押すときに、前記水容器の破裂が作り出される、請求項１から６に記載の発熱反応に基づく製品の自己加熱容器。
【請求項９】
前記のフィッティングアクセサリーを有する活性化機構（４０）が、細長い形状、ネジ山付きの本体および尖った端部を有するストライキングアクセサリー（４０．ａ）を有し、かかるアクセサリーは、前記の下方のネジ山付き蓋の側面に取り外し可能に接着されており；前記の下方のネジ山付き蓋の外側面から連結された内部導管が存在し、かつ、一旦前記内部導管に前記ストライキングアクセサリー（４０．ａ）が導入されると、前記水容器の破裂が作り出され、前記ストライキングアセンブリーは、不可逆性であり、かつ、再び除去または取り出され得ない、請求項１から６に記載の発熱反応に基づく製品の自己加熱容器。
【考案の詳細な説明】
【技術分野】
【０００１】
本考案は、容器内で加熱もしくは調理される必要のある食品もしくはその他の食用ではない製品を保持または含有する（また、包装する）容器の技術分野に属する。本技術が適用されてもよい広範囲の製品が存在する。
【背景技術】
【０００２】
本考案の背景
現在、酸化カルシウムを有する下方レセプタクル、水の袋および該袋を破り、かつ、水と酸化カルシウムを混合し、したがって発熱反応を引き起こすためのストライカーを有する外部レセプタクルを有する容器；ならびに、予め調理された食品を保持し、かつ、下方レセプタクルに取り付けられた上方容器からなる、予め調理された食品用の自己加熱容器に関する西国特許公開第２５８１３０３号公報が存在する。外部レセプタクルは、その側面に、いくぶん下げられ、かつ、突出した部分を有し、言及された垂直の部分の上端と相関して、下方容器とかかる側面との間に中空の側面チャンバーを作り、それは、下方ビーカーの上方開口部に定められた突出リムの直線状支持のための外周ステップを有する。上方レセプタクルは、その支持のためにその上端付近の領域にある外周ステップからなり、かつ、それは、下方レセプタクルの突出した上縁に配置された接着剤によって固定される。
【０００３】
しかしながら、この考案の包装デザインは円形プレート状であるので、いくぶん商業的でない。それが２つの化学的要素（酸化カルシウムと水）の混合を用いて発熱反応を作り出すことは事実であるが、容器の底におけるその位置はユーザーにとって安全ではない。なぜなら、容器材料が、熱い時に可撓性であり過ぎるからである。また、容器のデザインは、化合物の少量の漏れを有し得る。なぜなら、両方の容器が接着剤で一緒にくっつけられているのみであるので、熱に曝されたときに外れるか、または離れ得るからである。さらに、容器のサイズがそれほど実用的ではなく、それは少し大きく、かつ、それはハンドバッグ、弁当箱およびその他のものの中で運ばれるのに適していない。容器の蓋は良好でない。なぜなら、それが安全ではなく、使い捨て用に過ぎず、かつ、実用的ではないからである。容器デザインの形状は、コーヒー、マテ茶およびその他のもののような飲料を保持するのに適切ではなく、理想的でもない。容器の容量は大き過ぎ、それらが箱の中に包装されるときにいっそう多くの空間を必要とする。
【０００４】
現在スペインには、食品用の自己加熱容器に関して、「２  ＧＯ」と呼ばれる自己加熱製品が存在する。それは、予め調理された食品用に採用される一般的な技術を有し、かつ：円錐形の容器を有し、該円錐形の容器は、２つのレセプタクルからなり、一方は他方の中にあり、一方のレセプタクルは下方の位置を有し、かつ、他方は上方の位置を有し；上方レセプタクルは製品の内容物を保持し、かつ、下方レセプタクルは、混合されたときに発熱反応を作り出す酸化カルシウムと着色された水を保持する。そのトリガー機構は次の通りである：下部から蓋が除去され、かつ、この下部の内部にはピストンが配置され、該ピストンはそれが沈むまで強く押され、これが化学的要素が混合し、かつ、製品を加熱することを引き起こすものである。容器の上方および下方の蓋はスライダーであり、かつ、使い捨てのものであり、このことは、一旦蓋が除去されると、もはや元に戻され得ないことを意味する。
【０００５】
しかしながら、この考案は、２つの蓋を有する包装デザインを有し、該蓋の一方は下方であり、かつ、一方は上方であり、いくつかの場合には、上方の蓋にのみ開口容易なリングを有し、両方の蓋は一旦除去されると、置換され得ず、または、再利用され得ず、このことは製品の内容物にとって安全ではない。なぜなら、かかる内容物がこぼれたり、漏れたりし得るからである。同じことは、除去されると置換され得ない下方の蓋にも起こり、このことは、危険性の感情を引き起こす。なぜなら、この下部は、製品を加熱するすべての化学的要素を保持するからである。
【０００６】
製品活性化機構は実用的ではない。なぜなら、製品を活性化させるために、容器を回転させ、下方の蓋を除去し、かつ、内部のピストンを、かかる部分が沈み、かつ、製品が活性化され、かつ、それが加熱し始めるまで強く押し下げなければならないからである。自己加熱式であるすべての包装システム、レセプタクル、容器およびその他のものが使い捨てのものであり、このことは、製品を手頃ではなくし、かつ、生態系に優しくないものにする。
【考案の概要】
【０００７】
本考案の説明
上記の課題を解決するために、本考案が開発され、当該考案は、自然災害の犠牲者、子どもの弁当箱、労働者の弁当箱、軍隊のスタッフおよびその他の者のための社会支援アプローチに焦点を当てた、再利用可能な自己加熱容器からなる。
【０００８】
本考案は：
上方部分またはコンパートメントを有し、該上方部分またはコンパートメントは、製品の内容物で満たされた容器を内部に有し、かつ、上方部分の上部と内部容器の上部との間に水漏れしないような接続を有し；熱循環のために、容器と上方部分との間に内部の自由空間が存在し；
容易に交換できるようにネジ山付きチューブによって上方コンパートメントに連結された下方のネジ山付き蓋を有し、該下方のネジ山付き蓋は、連続的な延長部であり、かつ、コンパートメントの下部の輪郭にフィットし、または、上方部分でもそうである。下方のネジ山付き蓋は、容器の自己加熱が起きる場所であり、かつ、少なくとも１つの破断可能なシートおよび／または破断可能な水容器によって水から分離して、酸化カルシウムまたは塩化カルシウムを主として保持する。それはまた、下方のネジ山付き蓋の外部に配置され、かつ、下方のネジ山付き蓋の内部に配置された少なくとも１つのストライカーによる、破断可能なシートもしくは破断可能な水容器の破断を引き起こす、回転、押しボタンまたはフィッティングアクセサリーの活性化機構からなり、したがって、酸化カルシウムまたは塩化カルシウム化合物と水とを混合し、発熱反応を促進することを可能にする。
【０００９】
上記で詳細に説明された内部要素をすべて有する、この下方のネジ山付き蓋は、独立したデバイスとして製造および販売され得、したがって、この部分は自己加熱デバイスと呼ばれてきている。
【００１０】
１つの好ましいモードでは、上方コンパートメントまたは部分は、ネジ山付き上方輪郭、および、上方部分の上方のネジ山付き輪郭にフィットする上方のネジ山付き蓋を有する。別の好ましいモードでは、上方コンパートメントは、容器の外側に少なくとも１つの可撓性ハンドルを有し、該少なくとも１つの可撓性ハンドルは、第１の状態では、容器の輪郭へと折り畳み可能であり、かつ、第２の状態では、容器の輪郭に対して垂直な位置へと広げられる。また、本考案は、上方コンパートメントの上方輪郭または上方の口にそれを封止するために配置された、好ましくはアルミニウムまたはその他のものでできている、上方シートを有していてもよい。同様に、活性化機構および一緒に組み合されるときに製品の内容物を加熱するすべての要素は、下方のネジ山付き蓋に設けられる。容器（上方コンパートメントまたは部分）は、２つのネジ山付き蓋（上方のネジ山付き蓋および下方のネジ山付き蓋）を有する。延伸ポリスチレン断熱層が提供され、容器の外面全体を覆い、熱をいっそう長く保持し、かつ、熱い容器を扱うときに手をやけどさせることを回避する。
【００１１】
活性化（トリガー）機構に関し、３つの選択肢が提案されている：
【００１２】
第１のものは、下方のネジ山付き蓋を有する回転活性化機構であり、かかる蓋の中には一体化したアクセサリーが設けられ、酸化カルシウムおよび水を収容する。下方の蓋のベースには３つのストライカーアクセサリーが配置され、かつ、内部容器のベースには別のストライカーアクセサリーが設けられる。トリガーの回転が起きるとき、ストライキングアクセサリーが上昇し、かつ、水容器を破り、デバイスが製品を加熱し始めるように活性化させる。
【００１３】
第２のものは、下方のネジ山付き蓋の両方の外側面に配置された一対の同時活性化押しボタンを有する押しボタン活性化機構である；これらの押しボタンは、水容器と位置合わせされた下方のネジ山付き蓋の内部に少なくとも１つのストライカーを有するベースに接続され、押しボタンが同時に押されるときに、水容器が破かれる。
【００１４】
第３の選択肢は、ネジ山付き本体および尖った端部を有する、細長い形状を有するストライキングアクセサリーを含むフィッティングアクセサリーを有する活性化機構である。このアクセサリーは、下方のネジ山付き蓋の側面に取り外し可能に接着される。下方のネジ山付き蓋の外側面には、水容器に接続する内部導管を提供され、かつ、一旦ストライカーアクセサリーがかかる内部導管に挿入されると、水容器が破れる。ストライカーアクセサリーは、除去されること、または、再び取り出されることについて不可逆性である。
【００１５】
発熱反応は、かかる反応用の活性化システムを含む下方のネジ山付き蓋において行われ、かつ、上方および下方コンパートメントは、ネジ山付きチューブを有する連続的な延長部として、一方が他方の下に配置され、したがって単一の容器を形成する。このネジ山付きチューブは、下方のネジ山付き蓋の容易かつ実用的な交換、および、上方部分の内部に配置された異なる食品などを再加熱するための容器または上方部分の再利用を可能にする。上方コンパートメントを再利用するためには、（自己加熱デバイス／下方のネジ山付き蓋）を別のものと置換するだけである。また、上方コンパーメントの延長部としての下方のネジ山付き蓋のスキームの特徴は、交換のために、上方コンパートメントをひっくり返す必要性なく、または、下方のネジ山付き蓋をどこにフィットさせるべきかを見る必要のない、（下方のネジ山付き蓋／自己加熱デバイス）の配置または除去のための素早く、かつ、容易な操作を可能にする。自己加熱デバイスは、下方のネジ山付き蓋の形状である：酸化カルシウムおよび水は、この蓋の内部に設けられ、組み合されたときに製品の内容物を加熱する。
【００１６】
本考案の別の技術的優位性は、３つの活性化機構が「使い捨ての自己加熱容器システム」および「再利用可能な容器システム」の両方に適することである。
【００１７】
本考案の別の技術的優位性は、上方のネジ山付き蓋が、容器が、蓋を除去するのに過度な圧力をかける必要性なく、蓋を取り付け、かつ、取り外す容易かつ安全な方法で蓋をされることを可能にする。最新技術のその他の蓋は、蓋を除去するために圧力機構を含み、このことは内部の液体がこぼれることを引き起こし得る。上方のネジ山付き蓋は、何度も容易に容器に再び蓋をすることを可能にする。この機構は、非常に有効であり、実用的であり、安全であり、かつ、非常に便利である。
【００１８】
本考案の別の技術的優位性は、容器の輪郭の形状に適合して折り畳まれ得る、少なくとも１つの可撓性ハンドルを有することである。このことは、大量に容器を輸送するときに、積み重ね、および、包装プロセスにおける問題を回避する。前記ハンドルの可撓性は、それが困難を伴わずに指でそれを運び、または、持ち上げるために広げられることを可能にする。
【００１９】
さらに、最新技術において、活性化が実用的に実行されることを可能にする、自己加熱容器用の発熱反応活性化機構の使用についての記録が存在しない。一方で、安全シールが固定機構の回転もしくは自発的でない活性化または上方の蓋の除去を防止する。
【００２０】
同様に、それは、それを実用的であり、扱いが容易であり、安全であり、手頃であり、かつ、生態系に優しい革新的な包装にする、世界初の「再利用可能な自己加熱容器システム」であることが確認された。
【００２１】
自己加熱デバイスは、再利用可能な自己加熱システムの容器の補足物として非常に実用的であり、手頃であり、かつ、生態系に優しい、非常に軽い下方のネジ山付き蓋を有するので、非常に革新的である。この下方のネジ山付き蓋の内部には、自己加熱デバイスの活性化および加熱機構全体が配置され；それらは、発熱反応を作り出す少なくとも２つの化合物からなり；セグメントＡの第１の化合物もしくは要素は、酸化カルシウム、塩化カルシウム、または、セグメントＢの第２の流体化合物もしくは要素（水であり得る）と混合されたときに発熱反応を作り出し、熱（エネルギー）を放出する別の類似する化学品であり得る。
【００２２】
各化学的成分、酸化カルシウムまたは塩化カルシウムおよび水は、グリッド、および／または、各成分を隔離されたまま保持する破断可能もしくは刻まれたシートによって分離された小さい破断可能な容器に配置される。
【００２３】
製品活性化のとき、破断可能または途切れ途切れのシートの破裂が起こり、かつ、それに続いて水容器の第２の破裂が起こり、かつ、それが、セグメントＡの化学的要素（酸化カルシウムまたは塩化カルシウム）が要素Ｂ（水）を吸収し、固体状態の混合物に完全になるような方式で、化学的成分が組み合され、または、混合され、発熱反応を作り出し、かつ、熱を放出する場所である。
【００２４】
容器の下方のネジ山付き蓋は、主に次のように構成される：セグメントＡおよびＢの要素は、３つのレベルを有し、かつ、主として円筒形状を有するコンポーネントの一体化したアクセサリーによって分離される。要素Ｂ（水）は、小さい破断可能な容器に保持される。各レベルの内部には、化学的要素が配置される。第２および第３のレベルは穴を有し、したがって、化学的要素および放出された熱は、流体的に穴を通って他方のレベルへと通り得；また、これらの穴を通して、放出された熱が上方コンパートメントへと行く。
【００２５】
容器の内部は、シートとぴったりと合わせられて、化学的要素のあらゆるタイプの漏れを防止する。両方のコンパートメントと容器の周囲との間には、小さい空間が存在し、そのサイズは容器のサイズに比例する。この空間は熱を通過させ、かつ、上方コンパートメントから内部容器の外側面を包囲し、製品の内容物が均一に加熱されることを引き起こす。
【００２６】
容器の外部は、絶縁材料のシートによって覆われ、熱を絶縁および遮蔽し、外に伝えられる熱が最小限であることを確実にし、容器が触れられたときに、容器の全輪郭の周りで最小限の熱のみが感じられ、ヒトが触れるのに適したものにするようになっている。
【００２７】
自己加熱デバイスにおいては、３つの活性化機構が存在する：自己加熱デバイスにおいて用いられる化学式は、それらすべてについて同一であることが注目されるべきである。
【００２８】
１．回転活性化機構−回転活性化機構は、次のように作動する：容器の底に、下方のネジ山付き蓋が存在し、最初にすべきことは、下部から安全シールを除去することであり、それを行った後、下方のネジ山付き蓋に手を置き、かつ、それを回転させ、そのときに破裂が引き起こされ、化学的成分、酸化カルシウムまたは塩化カルシウムおよび水を組み合わせしめ、酸化カルシウムまたは塩化カルシウムである化学的要素によって水が吸収されることを引き起こし、固体状態の混合物になる。発熱反応が起こり、熱を蒸気の形態で放出し、製品内容物が加熱し始めることを引き起こし、１から５分以内で容器を温めるのはそのときである。
【００２９】
下方コンパートメントには自己加熱デバイスが配置され、かつ、その中には活性化機構が配置され、かつ、自己加熱デバイスが加熱されるのはそこである；そのベースには、両側面にアームを有する中央の尖ったアクセサリーが存在し、かつ、各アームは、とりわけスクイーザーの形態の尖ったアクセサリーを有する；同様に、内部容器のベースには下方の位置および方向を有するストライキングアクセサリーが配置され、合計４つの尖った、または、絞りアクセサリーを有し、該アクセサリーは、それが回転したときに上昇し、かつ、シートが破れ、かつ、その後で要素Ｂ（水）が見出される破断可能な容器を割ってバラバラにし、両方の物質を組み合わせしめることを引き起こし、かつ、その後で発熱反応が起こり、２つのコンパートメントの間の自由空間によって容器の全輪郭を包囲する熱を作り出す。この「回転活性化機構」は、「使い捨ての自己加熱容器システム」および「再利用可能な自己加熱容器システム」の両方に適用可能である。
【００３０】
使い捨ての自己加熱容器システムの場合、一旦自己加熱デバイスの活性化機構が配置され、かつ、設けられると、その後で活性化の自己加熱回転デバイスが設けられるが、これは、再び開くことについて不可逆性の機構を有する（それは、逆方向に回転することについて不可逆性である）。回転機構は、ほぼ完全にネジ山付きであり、それがデバイスを活性化させるために小さい回転のみを必要とし、また、かかる回転がいっそう多くの圧縮を引き起こし、かつ、容器を完全に封止し、したがって、あらゆるタイプの漏れを回避し、容器にいっそう多くの安全を提供するようになっている。なぜなら、その底には、すべての化合物および自己加熱デバイスの処方が集められるからである。
【００３１】
再利用可能な自己加熱容器システムの場合、一旦自己加熱デバイスの活性化機構が配置され、かつ、設けられると、回転活性化の自己加熱デバイスが配置されるが、これは、除去が容易である下方のネジ山付き蓋の形状を有する。下方の蓋を回転させ、かつ、それを完全にねじ込むことが必要とされるのみであり、蓋が完全に閉じられるときにデバイスは活性化され、また、最後の回転をさせることによって、いっそう多くの圧縮を引き起こし、かつ、容器を完全に封止し、したがって、あらゆるタイプの漏れを回避し、かつ、容器にいっそう多くの安全を提供する。なぜなら、その底には、すべての化合物および自己加熱デバイスの処方が集められるからである。
【００３２】
回転活性化機構においては、回転が起こる水平空間における上部に安全シールがくっつけられ、下方のネジ山付き蓋の一方の上側面および一方の下側面を固定された状態で保持し、安全シールを除去し、かつ、回転させるときに、この小さい空間は完全に覆われ、かつ、封止される；下部における安全シールは厚く、かつ、非常に特異な材料を有する。なぜなら、それが、下方のネジ山付き蓋の上方および下側面の隙間にフィットするからである。
【００３３】
似たようなことが、アルミニウムホイルまたはその他のもので封止されて製品の内容物（スープ、コーヒーなど）を保護する、製品の内容物が充填された上方のネジ山付き蓋を配置するときに起こる；この場合、配置された上方の蓋はネジ山付きであり、かつ、安全シールもまた、それに取り付けられる。製品を消費するとき、安全シールを除去し、上方の蓋をねじって外し、アルミニウムホイルを除去し、かつ、製品を消費するために進行することが必要とされるのみである。上方のネジ山付き蓋は、何度も容器に蓋をし得るので非常に良好である。
【００３４】
２．活性化押しボタンを有する機構：押しボタンを用いた活性化の２つの形態が存在する。
【００３５】
活性化押しボタン１−この機構は、次のように作動する：容器の下部から安全シールを除去し、かつ、容器の下部にある両側面の活性化押しボタンを押し、両方の押しボタンは、押されたときに要素Ｂ（水）の容器の破裂を引き起こす１つの尖ったアクセサリー、スクイーザーなどを有し、この操作が自動加熱デバイスをトリガーする。内部で起こるのは、両方の押しボタンを押すときに、保護シートおよび水容器が破れることを引き起こし、水を要素Ａ（酸化カルシウムまたは塩化カルシウム）と混合せしめ、水がこれらの化学的要素Ａによって吸収される。１から５分の長さで、製品の内容物を加熱する蒸気の形態の熱を放出する発熱反応が作り出されるのが、そこである。すべての要素が、コンポーネントの一体化した機構の中に設けられる。
【００３６】
活性化押しボタン２−この機構は、次のように作動する：容器の下部から安全シールを除去し、かつ、その後で容器の下部の両側面に配置された２つのトリガー押しボタンを同時に押し上げ、両方の押しボタンは１つの一体化した尖ったアクセサリーを有し、該アクセサリーは交点であり、かつ、それによって両方の押しボタンが結合され、これらの押しボタンは、上または下のいずれかに押されるときに一緒に作動する。両方の押しボタンを押し上げることは、ストライカーが上昇し、要素Ｂ（水）の破断可能な容器を破裂させることを引き起こし、この操作をもって自己加熱デバイスが活性化される。内部で起こるのは、両方の押しボタンを押すことが、シートの破断および水を有する破断可能な容器の破断を作り出し、それが要素Ａ（酸化カルシウムまたは塩化カルシウム）と組み合されることを引き起こし、水がこれらの化学的要素Ａによって吸収される。１から５分の期間で、製品の内容物を加熱する蒸気の形態の自然熱を放出する発熱反応が作り出されるのが、そこである。すべての化学的要素が、自己加熱デバイスのコンポーネントの一体化したアクセサリーの中に設けられる。
【００３７】
似たようなことが、製品の内容物（スープ、コーヒーなど）が注がれる、上方のネジ山付き蓋、ビーカーを配置するときに起こる。それは、アルミニウムホイルで封止されて、製品の内容物を保護する。この場合、そこに配置された上方の蓋はネジ山付きであり、かつ、安全シールもまた、それに取り付けられ、製品の内容物（例えば、スープ）を消費するとき、安全シールを除去し、上方の蓋をねじって外し、アルミニウムホイルを除去し、かつ、製品を消費するために進行することが必要とされるのみであるようになっている。上方のネジ山付き蓋は、何度も容器に蓋をし得るので非常に良好である。この機構は、非常に有効、実用的、安全かつ非常に便利である。
【００３８】
この押しボタン活性化機構は、使い捨ておよび再利用可能なものの両方用の自己加熱容器の２つのシステムに適用可能である。
【００３９】
使い捨ての自己加熱容器システムの場合、下方の蓋は既に封止され、かつ、容器の本体に密閉して取り付けられ、したがって、下方の蓋はもはや除去され得ず、取り出され得ず、または、引き出され得ない。なぜなら、かかる下方の蓋が、安全のため、および、漏れを回避するなどのために容器の本体に取り付けられるからである。下方の蓋の内部には、「押しボタン活性化機構」およびすべての加熱化学的要素が既に設けられている。
【００４０】
再利用可能な自己加熱容器システムの場合、下方の蓋のみが配置され、かつ、ねじ込まれ、除去し、かつ、元に戻すことが容易である；「押しボタンを有する活性化機構」およびすべての化学的要素は、ネジ山付き蓋の内部に既に設けられている。その最後の回転において、下方のネジ山付き蓋は完全に閉じられ、したがって、それはいっそう圧縮され、容器を完全に封止し、いかなるタイプの漏れを可能とさせず、安全性を改善する。なぜなら、かかる下部には、すべての化合物および自己加熱デバイスの処方が配置されるからである。
【００４１】
３．フィッティングアクセサリーを有する活性化機構：２つの形態のフィッティングアクセサリーを用いた活性化が存在する。
【００４２】
フィッティングアクセサリー１−フィッティングアクセサリー１を有する活性化機構は、次のように作動する：安全シールが下部から除去され、かつ、アクセサリーが容器の下側面の中へと挿入され、それまたはアクセサリーを除去することを阻害するその不可逆性のネジ山付き機構を用いて容器にアクセサリーをフィットさせる。このアクセサリーは、細長く、かつ、尖ったネジ山付きの形状を有し、可撓性材料製であり、かつ、容器の同一の下側面にくっつけられる。アクセサリーを導入するとき、デバイスが活性化され、シートおよび水容器の破裂を引き起こし、したがって自己加熱デバイスを活性化させる。内部で起こるのは、水容器を破ることが、水が化学的要素Ａ（酸化カルシウム、塩化カルシウム）と混合することを引き起こし、かつ、水がこれらの化学的要素Ａのいずれかによって吸収されることである。結果として、１から５分以内に、製品の内容物を加熱する蒸気の形態の自然熱を放出する発熱反応が作り出される。すべての化学的要素が、自己加熱デバイスの一体化したアクセサリーの内部に配置される。
【００４３】
フィッティングアクセサリー２−フィッティングアクセサリー２を有する活性化機構は、次のように作動する：安全シールが下部から除去される。下側面部分のネジ山付きアクセサリーが回転し、容器に完全にフィットする。このアクセサリーは、ネジ山付きのフィッティング形状を有し、細長く、尖っており、かつ、除去、取り外しまたは脱離について不可逆性である可撓性材料製である。
【００４４】
このアクセサリーは、容器の下側面に既に配置されている。アクセサリーを回転させるとき、それは沈み、かつ、容器にフィットし、したがってデバイスを活性化させ、シートおよび水容器が破裂することを引き起こし、したがって自己加熱デバイスを活性化させる。内部で起こるのは、水容器を破ることが、水が化学的要素Ａ（酸化カルシウム、塩化カルシウム）と混合することを引き起こし、かつ、水がこれらの化学的要素Ａのいずれかによって吸収されることである。結果として、２つのコンパートメントの間の自由空間を通って流れ、かつ、１から５分以内に製品の内容物を加熱する、容器の全輪郭を包囲する蒸気の形態の自然熱を放出する発熱反応が作り出される。すべての化学的要素が、自己加熱デバイスの一体化したアクセサリーの内部に配置される。
【００４５】
上方コンパートメントの内部レセプタクルは、アルミニウムホイルで封止され、製品の内容物を保護する。この場合、安全シールが配置され、かつ、上方のネジ山付き蓋に取り付けられ、製品の内容物（例えば、スープ）を消費するとき、安全シールを除去し、上方の蓋をねじって外し、アルミニウムホイルを除去し、かつ、製品を消費するために進行することが必要とされるのみであるようになっている。上方のネジ山付き蓋は、数回容器に蓋をし得るので非常に良好である。この機構は、非常に有効、実用的、安全かつ非常に扱いが容易である。この「フィッティング活性化機構」は、「使い捨ての自己加熱容器システム」および「再利用可能な自己加熱容器システム」の両方に適用可能である。
【００４６】
使い捨ての自己加熱容器システムの場合、下方の蓋は既に封止され、かつ、容器の本体に密閉して取り付けられ、したがって、下方の蓋はもはや除去され得ず、取り出され得ず、または、脱離され得ない。なぜなら、この下方の蓋が、安全目的のため、および、漏れを回避するなどのために容器の本体に取り付けられるからである。下方の蓋の内部には、フィッティングアクセサリーを有する活性化機構およびすべての加熱化学的要素が既に配置されている。
【００４７】
再利用可能な自己加熱容器システムの場合、下方の蓋のみが配置され、かつ、ねじ込まれ、除去し、かつ、その後で元に戻すことが容易である。「活性化フィッティング機構」およびすべての加熱化学的要素は、ネジ山付き蓋の内部に既に設けられている。その最後の回転を行うときに、すべては安全目的のために、ネジ山付き蓋は完全に閉じられ、かつ、それはさらに圧縮され、容器を完全に封止し、かつ、いかなるタイプの漏れも回避する。なぜなら、下部には、すべての化合物および自己加熱デバイスの処方が配置されるからである。
【００４８】
３つの活性化機構は、使い捨てシステムおよび再利用可能なシステムの両方用の２つの自己加熱容器システムに適用可能である。
【００４９】
本明細書で詳述されるすべては、最新技術の改善を表す。なぜなら、実行された実験によれば、発熱反応によって放出される自然熱は、有毒ガスまたは悪臭を作り出さないことが観察および判定されたからである。容器で製品を加熱するための期間は、１から５分間かかり、自己加熱容器のプロトタイプに対して実行された試験および実験によって判定される。
【００５０】
前記化合物は熱を放出し、該熱は、容器の内容物を急速に加熱し、「４０℃〜６０℃」の温度に達する。温度は素早く上昇する。また、温度は、両方の物質が用いられた量に依存する；換言すれば、化合物に加えられた酸化カルシウムまたは塩化カルシウムの量が水のものと等しければ、温度はいっそう高くなるであろうし、食品のような異なる製品およびその他のものを加熱または調理するのに十分である４５℃より高くに達し得る。すべては、化合物または処方を混合する際に用いられる各物質の量に依存する。
【００５１】
自然熱を放出する化合物について考慮すべき非常に重要な最初のポイントは、それが有毒でなく、悪臭を作り出さず、かつ、ヒトに非常に適していることである。
【００５２】
さらに、化合物は、製品の内容物とまったく混ざらない。なぜなら、両者が異なるコンパートメントまたは部分にあるからである。混合物において用いられる物質は、非常に良好であり、異なる食品、および、水のｐＨのバランスを取ること、飲料水の浄化、カルシウム貢献を通した水の再石灰化のような処理を使用し、かつ、扱うために保健省によって強く推奨され、かつ、果実および野菜中のバクテリアおよび細菌を消毒するためにもまた推奨される。このカルシウム鉱物は、多くの利益を有し、かつ、ヒトに適する。
【００５３】
自己加熱容器は、異なるデザインを有する：円筒形、円錐形、長方形、正方形およびその他；それは、人間工学的であり、リサイクル可能であり、再利用可能であり、手頃であり、実用的であり、生態系に優しく、かつ、環境に対して有害でない。それが活性化されるとき、１から５分間、製品の内容物を加熱し、４５℃〜６０℃の温度に達する。自己加熱容器は、食品、飲料、ウェットワイプ、血清および加熱または調理され得るその他の製品のような異なる製品内容物を加熱し得る。したがって、それは携帯可能な製品である。なぜなら、それはハンドバッグ、バックパック中で運ばれ得、かつ、任意の所望の場所へと輸送され得、かつ、いつでも活性化または加熱され得るからである。
【図面の簡単な説明】
【００５４】
本明細書に含まれる説明を完全なものにし、かつ、本考案の特徴の理解を容易にするために、本明細書には１セットの図面が添付され、そこには、説明のために、かつ、限定なく、次の事項が描かれている。
【００５５】
【図１】図１は、「回転活性化機構（３０）」に焦点を当てた自己加熱容器の正面図を示しており、カバー（１）、ネジ山付きの上方の蓋（２）、ネジ山付きの上方輪郭（４）、上方コンパートメント（５）、下方のネジ式蓋（３）、容器の本体全体（７）、両方のコンパートメント（５；６）の間の自由空間（８）、また、製品内容物が充填された容器の上方の口に配置された上方シート（９）が観察され得る。容器の内部とぴったりと合わせられた内部シート（１０）、外部シート（１１）、絶縁シート（１２）（断熱する）、適合可能なハンドル（１３）、化合物の一体化した機構（１４）（３レベル機構（１４．１；１４．２；１４．３）であり、各レベルは化学的要素：酸化カルシウム（１７）または塩化カルシウム（１８）および水（１９）を保持し得る；第１のレベル（１４．１）には酸化カルシウム（１７）または塩化カルシウム（１８）が存在し、第２のレベル（１４．２）では水（１９）を保持し、第３のレベル（１４．３）はその上に穴を有し、かつ、自由空間を有し、熱を問題なく上方へと流れせしめる）もまた見られ得る。水容器のフィッティング（１４．ａ）、水容器（１５）、化合物の一体化した機構（１４）の各レベル（１４．１；１４．２；１４．３）を覆うシート（１６）もまた見られ得る；第２のレベル（１４．２）の破断可能または途切れ途切れのシート（１６．ａ）もまた、観察され得る。この図は、回転活性化機構（３０）を表し、ここでは、２つのアームを有するストライキングアクセサリー（３０．ａ）が見られ得、該ストライキングアクセサリーは、回転するときに上昇し、かつ、水容器（１５）の破裂を作り出し、両方の化学的要素（酸化カルシウム（１７）または塩化カルシウム（１８））が水（１９）と混合することを引き起こし、発熱反応を作り出す。
【図２】図２は、「押しボタン１を有する活性化機構（５０）」に焦点を当てた自己加熱容器を示しており、カバー（１）、ネジ山付きの上方の蓋（２）、上方のネジ山付き輪郭（４）、上方コンパートメント（５）、下方のネジ山付き蓋（３）、容器の本体全体（７）、両方のコンパートメント（５；６）の間の自由空間（８）、また、製品内容物が充填された容器の上方の口に配置された上方シート（９）が見られ得る。容器の内部とぴったり合わせられた内部シート（１０）、外部シート（１１）、絶縁シート（１２）（断熱する）、適合可能なハンドル（１３）、化合物の一体化した機構（１４）（３レベル機構（１４．１；１４．２；１４．３）であり、各レベルは、酸化カルシウム（１７）または塩化カルシウム（１８）および水（１９）であり得る化学的要素を保持する；第１のレベル（１４．１）は酸化カルシウム（１７）または塩化カルシウム（１８）を保持し、かつ、第２のレベル（１４．２）は水（１９）を保持し、第３のレベル（１４．３）は穴を有し、かつ、自由空間を有し、熱が問題なく上方へと流れるようになっていることもまた見られ得る。水容器のフィッティング（１４．ａ）、水容器（１５）、化合物の一体化した機構（１４）の各レベル（１４．１；１４．２；１４．３）を覆うシート（１６）、水フィッティング（１４．ａ）の側面部分を保護する破断可能または刻まれたシート（１６．ａ）もまた見られ得る。同様に、保護シート（２１）は、側面押しボタン（５０．ａ）を押すときにストライカーアクセサリーの最初の部分を保護する；また、側面ストライカー（５０．ｂ）のフィッティングも見られ得る。この図は、押しボタン１を有する活性化機構（５０）を示しており、ここでは、側面押しボタンを有するストライカーアクセサリー（５０．ａ）、および、側面ストライカー（５０．ｂ）がフィットするアクセサリーが見られ得る。側面押しボタン（５０．ａ）を押すことは、水容器（１５）の破裂を作り出し、酸化カルシウム（１７）または塩化カルシウム（１８）の両方を水（１９）と混合せしめ、発熱反応を引き起こす。
【図３】図３は、「押しボタン２を有する活性化機構（５０）」に焦点を当てた自己加熱容器の正面図を示しており、カバー（１）、ネジ山付きの上方の蓋（２）、上方のネジ山付き輪郭（４）、上方コンパートメント（５）、下方のネジ山付き蓋（３）、容器の本体全体（７）、両方のコンパートメント（５；６）の間の自由空間（８）、また、製品内容物が充填された容器の上方の口に配置された上方シート（９）が見られ得る。容器の内部とぴったり合わせられた内部シート（１０）、外部シート（１１）、絶縁シート（１２）（断熱する）、適合可能なハンドル（１３）、化合物の一体化した機構（１４）（３レベル機構（１４．１；１４．２；１４．３）であり、各レベルは、酸化カルシウム（１７）または塩化カルシウム（１８）および水（１９）であり得る化学的要素を保持する；第１のレベル（１４．１）は酸化カルシウム（１７）または塩化カルシウム（１８）を保持し、かつ、第２のレベル（１４．２）は水（１９）を保持し、第３のレベル（１４．３）は穴を有し、かつ、自由空間を有し、熱が問題なく上方へと流れるようになっていることもまた見られ得る。水容器のフィッティング（１４．ａ）、水容器（１５）、化合物の一体化した機構（１４）の各レベル（１４．１；１４．２；１４．３）を覆うシート（１６）、水フィッティング（１４．ａ）の側面部分を保護する破断可能または刻まれたシート（１６．ａ）もまた見られ得る。同様に、保護シート（２１）は、押しボタン（５０．ｄ）の内部を保護する。２つの押しボタン（５０．ｄ）は、同時に押される。なぜなら、両方の押しボタン（５０．ｄ）が上下機構を有し、かつ、両方の押しボタン（５０．ｄ）が一緒に作動するからである。この図は、押しボタン２を有する活性化機構（５０）を表し、一緒に連結された押しボタンを有するストライカーアクセサリー（５０．ｃ）が見られ得る。ストライキングアクセサリー（５０．ｃ）は、同軸で両方の側面押しボタン（５０．ｄ）を連結する；２つの押しボタン（５０．ｄ）が同時に上方に押されるとき、水容器（１５）の破裂が起こり、両方の要素、酸化カルシウム（１７）および塩化カルシウム（１８）を水（１９）と混合せしめ、発熱反応を引き起こす。
【図４】図４は、「フィッティングアクセサリー１を有する活性化機構（４０）」に焦点を当てた自己加熱容器の正面図を示しており、カバー（１）、ネジ山付きの上方の蓋（２）、上方のネジ山付き輪郭（４）、上方コンパートメント（５）、下方のネジ山付き蓋（３）、容器の本体全体（７）、両方のコンパートメント（５；６）の間の自由空間（８）、また、製品内容物が充填された容器の上方の口に配置された上方シート（９）が示されている。容器の内部とぴったり合わせられた内部シート（１０）、外部シート（１１）、絶縁シート（１２）（断熱する）、適合可能なハンドル（１３）、化合物の一体化した機構（１４）（３レベル機構（１４．１；１４．２；１４．３）であり、各レベルは、酸化カルシウム（１７）または塩化カルシウム（１８）および水（１９）であり得る化学的要素を保持する；第１のレベル（１４．１）は酸化カルシウム（１７）または塩化カルシウム（１８）を保持し、かつ、第２のレベル（１４．２）は水（１９）を保持し、第３のレベル（１４．３）は穴を有し、かつ、自由空間を有し、熱が問題なく上方へと流れるようになっていることもまた示されている。水容器のフィッティング（１４．ａ）、水容器（１５）、化合物の一体化した機構（１４）の各レベル（１４．１；１４．２；１４．３）を覆うシート（１６）、水フィッティング（１４．ａ）の側面部分を保護する破断可能または刻まれたシート（１６．ａ）もまた示されている。同様に、部分（それを通してストライカーアクセサリー（４０．ａ）が挿入される）を保護する保護シート（２１）が示されている。この図は、フィッティングアクセサリー１を有する活性化機構（４０）を表し；ここでは、挿入されたストライカーアクセサリー（４０．ａ）およびフィッティングアクセサリー（４０．ｂ）が示されている。ストライカーアクセサリー（４０．ａ）を導入するとき、水容器（１５）の破裂が起こり、両方の要素、酸化カルシウム（１７）および塩化カルシウム（１８）が水（１９）と混合することを引き起こし、発熱反応を作り出す。
【図５】図５は、「フィッティングアクセサリー２を有する活性化機構（４０）」に焦点を当てた自己加熱容器の正面図を示しており、カバー（１）、ネジ山付きの上方の蓋（２）、上方のネジ山付き輪郭（４）、上方コンパートメント（５）、下方のネジ山付き蓋（３）、容器の本体全体（７）、両方のコンパートメント（５；６）の間の自由空間（８）、また、製品内容物が充填された容器の上方の口に配置された上方シート（９）が示されている。容器の内部とぴったり合わせられた内部シート（１０）、外部シート（１１）、絶縁シート（１２）（断熱する）、適合可能なハンドル（１３）、化合物の一体化した機構（１４）（３レベル機構（１４．１；１４．２；１４．３）であり、各レベルは、酸化カルシウム（１７）または塩化カルシウム（１８）および水（１９）であり得る化学的要素を保持する；第１のレベル（１４．１）は酸化カルシウム（１７）または塩化カルシウム（１８）を保持し、かつ、第２のレベル（１４．２）は水（１９）を保持し、第３のレベル（１４．３）は穴を有し、かつ、自由空間を有し、熱が問題なく上方へと流れるようになっていることもまた示されている；水容器のフィッティング（１４．ａ）、水容器（１５）、化合物の一体化した機構（１４）の各レベル（１４．１；１４．２；１４．３）を覆う破断可能または刻まれたシート（１６）、水フィッティング（１４．ａ）の側面部分を保護する破断可能または刻まれたシート（１６．ａ）もまた示されている。同様に、部分（それを通してストライカーアクセサリー（４０．ａ）が挿入される）を保護する保護シート（２１）が示されている。この図は、フィッティングアクセサリー２を有する活性化機構（４０）を表し；ここでは、挿入されたストライカーアクセサリー（４０．ｃ）およびフィッティングアクセサリー（４０．ｂ）が示されている。ストライカーアクセサリー（４０．ｃ）を回転させるとき、水容器（１５）の破裂が起こり、両方の要素、酸化カルシウム（１７）および塩化カルシウム（１８）が水（１９）と混合することを引き起こし、発熱反応を作り出す。
【図６】図６は、自己加熱容器の正面図を示しており、カバー（１）、ネジ山付きの上方の蓋（２）、上方のネジ山付き輪郭（４）、カバーフィッティングの輪郭（４．ａ）、上方コンパートメント（５）、下方のネジ山付き蓋（３）、容器の本体全体（７）、同様に、製品内容物が充填された容器の上方の口に配置された上方シート（９）が示されている。外部シート（１１）、絶縁シート（１２）（断熱する）、適合可能なハンドル（１３）、上方安全シール（２０．ａ）もまた示されており、下方安全シール（２０．ｂ）、部分（それを通してフィッティングアクセサリー（４０．ｂ）（それを通してストライカーフィッティング（４０．ａ）が挿入される））を保護する保護シート（２１）もまた見られる。この図は、フィッティングアクセサリー１を有する活性化機構（４０）を示しており、それは、挿入されたストライカーフィッティング（４０．ａ）を示している。ストライカーアクセサリー（４０．ａ）を導入するとき、水容器（１５）の破裂が起こり、両方の要素、酸化カルシウム（１７）および塩化カルシウム（１８）が水（１９）と混合することを引き起こし、発熱反応を作り出す。
【図７】図７は、自己加熱容器の正面図を示しており、カバー（１）、ネジ山付きの上方の蓋（２）、上方のネジ山付き輪郭（４）、カバーフィッティングの輪郭（４．ａ）、上方コンパートメント（５）、容器の本体全体（７）；同様に、製品内容物が充填された容器の上方の口に配置された上方シート（９）が示されている。外部シート（１１）、絶縁シート（１２）（断熱する）、適合可能なハンドル（１３）、上方安全シール（２０．ａ）、活性化押しボタン（５０．ａ）が押されたときにストライカーフィッティングの前方端部を保護する保護シート（２１）もまた示されている。この図は、押しボタン１を有する活性化機構（５０）を示しており、それは側面押しボタン（５０．ａ）を示している。両側面でかかる押しボタン（５０．ａ）を押すとき、水容器（１５）の破裂が起こり、両方の要素、酸化カルシウム（１７）または塩化カルシウム（１８）が水（１９）と混合することを引き起こし、発熱反応を作り出す。
【図８】図８は、遠近法による自己加熱容器の分解図を示しており、異なるコンポーネントが特定され、該コンポーネントは例えば、カバー（１）、ネジ山付きの上方の蓋（２）、上方のネジ山付き輪郭（４）、カバーフィッティングの輪郭（４．ａ）、上方コンパートメント（５）、下方のネジ山付き蓋（３）、容器の本体全体（７）、両方のコンパートメント（５；６）の間の自由空間（８）、上方シート（９）、内部シート（１０）、外部シート（１１）および絶縁シート（１２）、適合可能なハンドル（１３）、化合物の一体化した機構（１４）、一体化した機構の３つのレベル（１４．１；１４．２；１４．３）、水容器のフィッティング（１４．ａ）、水容器（１５）、化合物の一体化した機構（１４）の各レベル（１４．１；１４．２；１４．３）を覆うシート（１６）、刻まれたシート（１６．ａ）、酸化カルシウム（１７）、塩化カルシウム（１８）、水（１９）、上方安全シール（２０．ａ）、下方安全シール（２０．ｂ）、保護シート（２１）、回転活性化機構（３０）、２つのアームを有するストライキング活性化機構（３０．ａ）、フィッティングアクセサリーを有する活性化機構（４０）、挿入されたストライカーフィッティング（４０．ａ）、フィッティングアクセサリー（４０．ｂ）、回転ストライキングアクセサリー（４０．ｃ）、押しボタン活性化機構（５０）、側面押しボタンを有するストライカーフィッティング（５０．ａ）、側面ストライカーのフィッティングアクセサリー（５０．ｂ）、連結された押しボタンを有するストライキングアセンブリー（５０．ｃ）および上下機構を有する押しボタン（５０．ｄ）である。
【図９】図９は、「回転活性化機構（３０）」に焦点を当てた自己加熱容器の正面図を示しており、カバー（１）、ネジ山付きの上方の蓋（２）、上方のネジ山付き輪郭（４）、上方コンパートメント（５）、下方のネジ山付き蓋（３）、容器の本体全体（７）、両方のコンパートメント（５；６）の間の自由空間（８）、また、製品内容物が充填された容器の上方の口に配置され、かつ、下方のネジ山付き蓋（３）にも配置された上方シート（９）が示されている。容器の内部とぴったり合わせられた内部シート（１０）、外部シート（１１）、絶縁シート（１２）（断熱する）、適合可能なハンドル（１３）、ストライカーフィッティング（３０．ｂ）、化合物の一体化した機構（１４）（３レベル機構（１４．１；１４．２；１４．３）であり、各レベルは、酸化カルシウム（１７）または塩化カルシウム（１８）および水（１９）であり得る化学的要素を保持する；第１のレベル（１４．１）は酸化カルシウム（１７）または塩化カルシウム（１８）を保持し、かつ、第２のレベル（１４．２）は水（１９）を保持し、第３のレベル（１４．３）は穴を有し、かつ、自由空間を有し、熱が問題なく上方へと流れるようになっていることもまた示されている。水容器のフィッティング（１４．ａ）、水容器（１５）、化合物の一体化した機構（１４）の各レベル（１４．１；１４．２；１４．３）を覆うシート（１６）もまた示されている。第２のレベル（１４．２）の破断可能または途切れ途切れのシート（１６．ａ）もまた、示されている。この一体化したアクセサリーシステムはすべて、下方のネジ山付き蓋（３）の内部に配置される。この図は、「回転活性化機構」（３０）を有する「再利用可能な自己加熱容器システム」を示しており、２つのアームを有するストライキングアクセサリー（３０．ａ）が示されており、該ストライキングアセンブリーは、回転するときに上昇し、かつ、水容器（１５）の破裂を引き起こし、両方の要素（酸化カルシウム（１７）および塩化カルシウム（１８））を水（１９）と混合せしめ、発熱反応を作り出す。
【考案を実施するための形態】
【００５６】
考案の好ましい実施形態
上記されたように、本考案は、上方コンパートメント（５）および下方コンパートメント（６）を有する包装によって構成される；容器の高さは、好ましくは高さ１０〜１５ｃｍである；材料はとりわけ、アルミニウム、ステンレス鋼、ブリキである；厚さは薄い。容器の寸法およびデザインは、加熱されるべき製品のタイプにより、また、製品の質により行われる。
【００５７】
上方コンパーメント（５）は長さが１０〜１２ｃｍだけあり、ここで製品の内容物（チョコレート、コーヒーならびにその他の製品および食品であり得る）が保持される。一旦製品の内容物が充填されると、容器の輪郭（４）の上方の口は、薄いアルミニウムシート（９）で封止され、その後でネジ山付きの上方の蓋（２）が配置され、この蓋は、ポリエチレン材料、または、上方のネジ山付き輪郭（４）にフィットするその他のもので作られ、かかる上方のネジ山付き輪郭（４）は、ポリスチレンまたはポリウレタンなどで覆われたポリエチレン製である。このことで、上方輪郭（４）で感じられる熱が最小限であり、かつ、問題なく口へと運ばれ得るようになっている。
【００５８】
同様に、上方のネジ山付き蓋（２）は、カバーのフィッティング輪郭（４．ａ）を有し、そこにはカバー（１）が完全にフィットし、このカバー（１）は、調製粉乳、スープの原料などのような特定の特殊な食品を保持し、次のように作動する：調製粉乳（粉ミルク）がカバー（１）に充填され、かつ、アルミニウムホイル（９）でそれを封止することによって即座に保護され、このことで、ミルクおよびその他の特殊な食品がそれらのビタミン、タンパク質など（その栄養価）を失わないようになっている。カバー材料（１）は、ポリエチレンまたはその他のもので作られ、かつ、長さが４から５ｃｍだけある。このすべての後、接着性材料、ポリエチレンもしくは紙またはその他のもので作られた上方安全シール（２０．ａ）が配置される。
【００５９】
容器の本体全体（７）は、１０から１５ｃｍの長さを有する。コンパートメント（５；６）の間には、１から２ｍｍの長さの自由空間（８）が存在し、この長さは、容器（７）のサイズおよびデザインによる。この自由空間（８）を通って熱が流れ、かつ、容器の輪郭を包囲し、製品の内容物全体が均一に加熱されることを引き起こす。容器の内部は、いかなるタイプの内容物の漏れも防止する、ポリスチレン、アルミニウム、ポリウレタンまたは薄いボール紙などで作られた薄いシート（１０）とぴったり合わせられる。
【００６０】
容器の外部は、熱を絶縁および遮蔽するための延伸ポリスチレン、ポリウレタンおよびその他のもので作られた絶縁シート（１２）によって覆われ、容器が触れられるときに、最小限の熱のみが感じられ、かつ、ユーザーが触れるのに適するようになっている。それに隣接して、ポリエチレン、薄いボール紙もしくはその他のもので作られた第２の外部シート（１１）またはラベルが配置される。
【００６１】
同様に、容器は、ポリエチレンまたはその他のものなどの２つの適合可能かつ可撓性のハンドル（１３）である両側面に２つのファスナーを有し、これらのハンドル（１３）は、最初は直線状であり、かつ、ハンドルフィッティング（１３）を押すときに、それらは楕円形に変わり、かつ、これがどのようにハンドルが形成されるかである。
【００６２】
下方のネジ山付き蓋（６）については、かかる下方のネジ山付き蓋（３）の内部に活性化機構（３０−４０−５０）が設けられ、かつ、そこには、アルミニウムなどで作られた、高さが（３〜３  １／２ｃｍ）である一体化した化合物アクセサリー（１４）の機構もまた配置され、かつ、それは３つのレベル（１４．１；１４．２；１４．３）を有し、各レベルはアルミニウムシート（１６）によってぴったり合わせられ、各レベルの床は穴を有し、第２のレベル（１４．２）には、水アクセサリー（１４．ａ）があり、該水アクセサリーは、水アクセサリー（１４．ａ）の側面および底で、刻まれた点を有するアルミニウムホイル（１６．ａ）によって覆われる。シート（１６．ａ）は、それがトリガーされたときにストライカーが刻まれたアルミニウムシート（１６．ａ）を破り、かつ、その後で水容器（１５）を破るような形式で、水容器（１５）を保護するためにそこにある。
【００６３】
水アクセサリー（１４．ａ）の内部には、水容器（１５）が配置され、該水容器は、とりわけポリエチレン被覆ラテックス、アルミニウム被覆ラテックスもしくはアルミニウム被覆ポリエチレン製の容器またはラッパーである。
【００６４】
また、化合物１（酸化カルシウム（１７）および水（１９））、（塩化カルシウム（１８）および水（１９））からなる化合物２の化学的要素が存在する。両方の物質の量は、加熱されるべき製品の内容物の量に依存し、例えば、２５０ｍｌの飲料に対して、化合物は、３５ｇの酸化カルシウム（１７）および１７ｍｌの水（１９）である。両方の要素、酸化カルシウム（１７）および水（１９）は分離され、かつ、活性化のときに混ざり、かつ、蒸気の形態で熱を放出し、かつ、１〜５分の期間で製品の内容物を加熱し始める発熱反応を作り出し、このことは食品をいっそう長く温かいままにする。
【００６５】
下方のネジ山付き蓋（３）は、自己加熱デバイスとして作動し、かつ、再利用可能なシステムについては取り外し可能な蓋であり、かつ、使い捨てのシステムについては取り外し不能な蓋である。一旦一体化した化合物機構（１４）のすべての要素（１７；１８；１９）およびそれらの各々の活性化機構を有するストライカーが設けられると、蓋がねじ込まれ、かつ、上方コンパートメントの下部で封止され、容器と合同する。次に、下方安全シール（２０．ｂ）が配置され、該下方安全シールは好ましくは、厚く、かつ、とりわけポリエチレンで覆われたボール紙製であるべきである。さらに、保護シート（２１）は、ホイルアルミニウムなどで覆われたポリスチレン製であるべきである。
【００６６】
自己加熱デバイスの３つの活性化機構が存在する。
【００６７】
３つの活性化機構は、再利用可能な自己加熱容器および使い捨ての再利用可能でない容器の両方に適用可能である。
【００６８】
自己加熱使い捨て容器の場合、取り外し不能な下方のネジ山付き蓋（３）は、容器本体（７）に取り付けられ、かつ、密閉して封止され、したがって、下方のネジ山付き蓋（３）は除去され得ず、取り出され得ず、または、脱離され得ない。なぜなら、前記の下方の蓋（３）が、容器の本体（７）にしっかりと取り付けられるからである。このことは、安全目的のため、および、漏れを回避するなどのために行われる。同様に、下方のネジ山付き蓋（３）の内部には、活性化機構（３０−４０−５０）、および、発熱反応を作り出すすべての要素が既に設けられている：一体化したアクセサリー（１４）（それ自体もまた下方のネジ山付き蓋（３）の内部に配置されている）の内部に収容された酸化カルシウム（１７）、塩化カルシウム（１８）および水（１９）。
【００６９】
再利用可能な自己加熱容器システムについては、容易に取り外し可能な下側のネジ山付き蓋（３）が存在する。取り付けおよび取り外しが容易である下側のネジ山付き蓋（３）を配置し、かつ、回転させることが必要とされるのみである。下方のネジ山付き蓋（３）の内部には、「活性化機構（３０−４０−５０）」が既に設けられ、かつ、発熱反応を作り出すすべての化学的要素：酸化カルシウム（１７）、塩化カルシウム（１８）および水（１９）は、それ自体が下方のネジ山付き蓋（３）の内部に配置された一体化したアクセサリー（１４）の内部に収容される。かかる下方のネジ山付き蓋の上での最後の回転を行うときに、それは完全に閉じられ、かつ、さらに内容物を圧縮し、容器を完全に封止し、かつ、すべての漏れを防止する。これはすべて、安全のために実行される。なぜなら、下部が、すべての化合物および自己加熱デバイスの処方が集められる場所だからである。
【００７０】
第１のものは、回転活性化機構（３０）である。それは、次のように作動する：第１に、下部から安全シール（２０．ｂ）が除去され、その後で下方のネジ山付き蓋（３）に手を置き、かつ、回転させ、かつ、デバイスが活性化される。容器底の下部に、下方のネジ山付き蓋（３）が配置される。下方のネジ山付き蓋（３）の中心には、２つのアームを有するストライカーアクセサリー（３０．ａ）が存在し、該ストライカーアクセサリーは、両側面に尖ったストライキングアクセサリーを有し、同一のベースの上部に合計３つの尖ったアクセサリーを作る。また、内部レセプアクルのベース上には、アームが１つのストライキングアクセサリー（３０．ｂ）が配置される。下方のネジ山付き蓋（３）は、回転するときに上昇し、かつ、水容器（１５）が破れることを引き起こし、かつ、デバイスが活性化され、製品を加熱し始める。
【００７１】
第２の活性化機構は、活性化押しボタン１を有するものである（５０）。それは、次のように作動する：最初に、下方安全シール（２０．ｂ）が除去され、その後で側面押しボタンを有する２つのストライキングアクセサリー（５０．ａ）が押され、各押しボタンは内部にストライキングアクセサリー（５０．ａ）を有し、該ストライキングアクセサリーは、押しボタンが上に押されるときに、水容器（１５）が破れることを引き起こし、かつ、自己加熱デバイスが活性化することを引き起こし、製品を加熱し始める。
【００７２】
活性化押しボタン２を有する活性化機構（５０）もまた、存在する。それは、次のように作動する：第１に、下方安全シール（２０．ｂ）が除去され、かつ、同時に２つの押しボタン（５０．ｄ）が上方に押される；かかる押しボタン（５０．ｄ）は、連結した押しボタンを有するストライカーアクセサリー（５０．ｃ）を有し、該ストライカーアクセサリーは、交点であり、かつ、それによって押しボタン（５０．ｄ）が連結され、かつ、同一のベースにおいて保持される。これらの押しボタン（５０．ｄ）は、上または下のいずれかに押されるときに一緒に作動する。上方に両方の押しボタン（５０．ｄ）を押すことは、ストライカーアクセサリー（５０．ｃ）が上昇することを引き起こし、かつ、水容器（１５）が破裂することを引き起こし、かつ、自己加熱デバイスが活性化することを引き起こし、製品を加熱し始める。
【００７３】
第３の機構は、フィッティングアセンブリー１を有するものである（４０）；それは、次のように作動する：下方安全シール（２０．ｂ）が除去され、その後で容器（７）の下側面にストライカーアクセサリー（４０．ａ）が挿入され、フィッティングアクセサリー（４０．ｂ）に完全にフィットする。挿入されたストライカーアクセサリー（４０．ａ）は、再び除去または取り外しされないように不可逆性のネジ山付きデザインを有する。この挿入されたストライカーアクセサリー（４０．ａ）は、細長い尖った形状を有し、かつ、ポリエチレンまたはその他のもので作られ、アクセサリー（４０．ａ）は、容器（７）の同一の下側面にくっつけられる。ストライカーアクセサリー（４０．ａ）を導入するとき、水容器（１５）の破裂が引き起こされ、かつ、デバイスが活性化され、製品を加熱し始める。
【００７４】
フィッティングアクセサリー２を有する機構（４０）もまた、存在する；それは、次のように作動する：下方安全シール（２０．ｂ）が除去され、かつ、回転ストライカーアクセサリー（４０．ｃ）が回転し、かつ、アクセサリーが容器（７）のフィッティングアクセサリー（４０．ｂ）に完全にフィットする。この回転ストライカーアクセサリー（４０．ｃ）は、取り外し不能なネジ山付きの形状を有し、かつ、再び除去または取り外すことについて不可逆性であり、かつ、それは、細長く、尖っており、可撓性であり、かつ、ポリエチレンまたはその他のもので作られる。
【００７５】
回転ストライカーアクセサリー（４０．ｃ）をフィットさせることによって、水容器（１５）の破裂が作り出され、かつ、デバイスが活性化され、製品を加熱し始める。
【００７６】
さらに、３つの活性化機構は、「使い捨て自己加熱容器システム」および「再利用可能な自己加熱容器システム」の両方に適用可能である。
【００７７】
したがって、活性化機構および下方のネジ山付き蓋のその他のコンポーネントは、２つの自己加熱容器システム：「使い捨てシステム」および「再利用可能システム」で用いられ得る。
【００７８】
再利用可能な自己加熱容器システムは、２つのネジ山付き蓋（一方が上方かつ一方が下方）を有する容器からなり、上方コンパートメントには製品内容物が配置され、かつ、下方のネジ山付き蓋には自己加熱デバイスが配置され、該下方のネジ山付き蓋は、製品を加熱するすべての化学的要素を内部に収容する下方のネジ山付き蓋である。容器を再利用するためには、それは、洗浄され、かつ、任意の製品を再加熱し、下方のネジ山付き蓋に新たな自己加熱デバイスを配置するのみであることが必要とされるのみである（デバイスは、下方のネジ山付き蓋と同一である）。
【００７９】
自己加熱使い捨て容器システムは、１つの上方のネジ山付き蓋（取り外し可能）および下方の蓋（取り外し不能）容器からなり、該下方の蓋は、安全目的および漏れを回避するなどのために、容器の本体に取り付けられ、かつ、密閉して封止される。なぜなら、これらの容器が、使い捨て用であり、かつ、とりわけ出来合いの食品用だからである。上方コンパートメントには、製品の内容物が配置され、かつ、容器の本体または上方コンパートメントに取り付けられ、かつ、封止された取り外し不能な下方のネジ山付き蓋である下方のネジ山付き蓋には、自己加熱性デバイスが配置される。下方の蓋は、製品を加熱するすべての化学的要素を内部に収容する。容器を再利用するには、それは、洗浄され、かつ、任意の製品を再加熱し、下方コンポーネントに新たな自己加熱デバイスを配置するのみであることが必要とされるのみである（デバイスは、下方のネジ山付き蓋と同一である）。
【００８０】
一旦本考案の本質および好ましい実施形態が十分に説明されると、以下で請求される本考案の本質的な特徴の改変を必要としない限り、記載された要素の材料、形状、サイズおよび配置は修正されてもよいことが、適切な目的のために言及される。
【符号の説明】
【００８１】
すべての図面において、参照数字は、次の要素を特定するように現れる：
【００８２】
（１）カバー
（２）上方のネジ山付き蓋
（３）下方のネジ山付き蓋
（４）ネジ山付きの上方輪郭
（４．ａ）カバーフィッティングの輪郭
（５）上方コンパートメントまたは部分
（６）下方コンパートメントまたは部分
（７）容器本体全体
（８）自由空間
（９）上方シート
（１０）内部シート
（１１）外部シート
（１２）絶縁シート
（１３）適合可能なハンドル
（１４）化合物の一体化した機構
（１４．１）一体化した機構の第１のレベル
（１４．２）一体化した機構の第２のレベル
（１４．３）一体化した機構の第３のレベル
（１４．ａ）水容器のフィッティング
（１５）水容器
（１６）各レベルのシート
（１６．ａ）刻まれたシート
（１７）酸化カルシウム
（１８）塩化カルシウム
（１９）水
（２０．ａ）上方安全シール
（２０．ｂ）下方安全シール
（２１）保護シート
（３０）回転活性化機構
（３０．ａ）２つのアームを有するストライキングアクセサリー
（３０．ｂ）１つのアームを有するストライキングアクセサリー
（４０）フィッティングアクセサリーを有する活性化機構
（４０．ａ）挿入されたストライキングアクセサリー
（４０．ｂ）フィッティングアクセサリー
（４０．ｃ）回転ストライキングアクセサリー
（５０）押しボタン活性化機構
（５０．ａ）側面押しボタンを有するストライキングアクセサリー
（５０．ｂ）側面ストライカーのフィッティングアクセサリー
（５０．ｃ）連結した押しボタンを有するフィッティングアクセサリー
（５０．ｄ）上下機構を有する押しボタン
【図１】
0003230118.tif 000003
【図２】
0003230118.tif 000004
【図３】
0003230118.tif 000005
【図４】
0003230118.tif 000006
【図５】
0003230118.tif 000007
【図６】
0003230118.tif 000008
【図７】
0003230118.tif 000009
【図８】
0003230118.tif 000010
【図９】
0003230118.tif 000011